(57)【要約】【課題】生分解性材料からなる皮膚用針具の針先を保護し、その状態を長期間保持できる皮膚用針具包装容器を提供する。【解決手段】包装容器１０は、生分解性材料からなる皮膚用針具４０が固定する固定手段として粘着性を有したシート１１と、保管容器であるケース１２と、封止手段としてケース１２に蓋をするカバー１３とを備え、ケース１２は皮膚用針具４０の針先４１が外力による破損及び接触を防ぐための窪み２１を備えた構成を有している。また、包装容器１０は、ケース１２にカバー１３を接着することにより気密封止を行い、皮膚用針具４０の周辺の湿度を３０％以下に維持する吸湿剤３０をケース１２の窪み部２１内面に塗布した構成とし、ケース１２内の所定の湿度を維持できる構成を有している。【選択図】  図２
2007039066.tif 000002
【特許請求の範囲】
【請求項１】
皮膚用針具を保管するための包装容器であって、該皮膚用針具を固定する固定手段と、該固定手段が設置される保管容器と、該保管容器を封止する封止手段としての蓋を有したことを特徴とする皮膚用針具包装容器。
【請求項２】
前記保管容器内を所定の湿度範囲となるよう湿度維持手段を有したことを特徴とする請求項１に記載の皮膚用針具包装容器。
【請求項３】
前記保管容器の該皮膚用針具を取り出す手段として、前記固定手段の一部に少なくとも１本のタブを有したことを特徴とする請求項１〜２に記載の皮膚用針具包装容器。
【発明の詳細な説明】
【技術分野】
【０００１】
本発明は、生分解性材料で構成された皮膚用針具の保管に関するものである。
【背景技術】
【０００２】
生分解性材料（主にマルトースや蛋白質をいう）からなる皮膚用針具は、水分等によって溶解し易い特性であるため、皮膚用針具を包装するものとして、防湿性を有した包装方法が必要となる。従来の防湿可能な包装容器としては、防湿効果の高いアルミ複合シート等で構成された医療品等の包装容器が知られている。（例えば、特許文献１参照）
【０００３】
【特許文献１】実開平５−９４１６７号
【発明の開示】
【発明が解決しようとする課題】
【０００４】
従来の防湿性を備えた包装容器においては、外部からの防湿を考慮されているが、内容物の固定措置がされておらず、外力による針先の破損及び接触を防ぐことが困難である。
【０００５】
本発明は、生分解性材料からなる皮膚用針具の針先を保護し、その状態を長期間維持できる皮膚用針具包装容器を提供することを目的とする。
【課題を解決するための手段】
【０００６】
本発明による皮膚用針具包装容器は、該皮膚用針具を固定する固定手段と、該固定手段が設置される保管容器と、該保管容器を封止する封止手段としての蓋から構成されている。この構成により、皮膚用針具の針先を外力による破損及び接触から防ぐことができる。従って、針先の状態を長期間にわたって維持することができる。
【０００７】
また、本発明の皮膚用針具包装容器は前記保管容器内を所定の湿度範囲となるよう湿度維持手段を有している。これにより、包装する皮膚用針が水等で溶解し易い材料であっても、針先が溶解されない状態で包装できる。したがって、皮膚用針具の針先を保持し、その状態を長期間維持することが可能となる。
【０００８】
さらに、前記保管容器の該皮膚用針具を取り出す手段として、前記固定手段の一部に少なくとも１本のタブを有することにより、針先を直接指で触れることなく保管容器から容易に取り出すことができる。
【発明の効果】
【０００９】
本発明は、生分解性材料からなる皮膚用針具を包装するもので、針先の形状を長期間にわたって維持できる。
【発明を実施するための最良の形態】
【００１０】
以下、本発明の一実施の形態について、図面を用いて説明する。
まず、本実施の形態に係るの皮膚用針具包装容器としての梱包容器の構成について説明する。
梱包容器は、生分解性材料（例えばマルトースや蛋白質等）からなる長さが数百μｍ以下の複数の針で構成される皮膚用針具を保管することができる。
【００１１】
図１及び図２に示すように、本実施の形態に係る包装容器１０は、生体に穴を開けるための生分解性材料からなる皮膚用針具４０が固定する固定手段としての粘着性を有したシート１１と、シート１１が設置される保管容器としてのケース１２と、ケース１２に封止手段としての蓋をするためのカバー１３とを備え、ケース１２は皮膚用針具４０の針先４１が外力によって破損及び接触を防ぐための窪み２１を備えた構成を有している。
また、ケース１２とカバー１３が封止するときのケース１２側の面に粘着性を有する粘着面１２ａを備えることで、ケース１２とカバー１３を水分が通過しないよう気密封止することができる構成を有している。
【００１２】
また、包装容器１０は、ケース１２に設置された皮膚用針具４０の周辺の湿度を３０％以下に維持するための湿度維持手段としての吸湿剤３０をケース１２の窪む２１内面に塗布した構成になっており、シート１１に設置される皮膚用針具４０の針先４１に接触することなく、ケース１２内の所定の湿度を維持できる構成を有している。
【００１３】
また、シート１１は、皮膚用針具４０を設置するための粘着面１１ａと、ケース１２に設置するための粘着面１１ｂを備え、皮膚用針具４０を取り出す際シート１１を剥がすための取手としてのタブ１４を有した構成であり、そのタブ１４の一部でカバー１３とケース１２に挟まれる部分は、カバー１３側に接触する位置に粘着面１４ａを有しており気密封止として働くようになっている。
【００１４】
カバー１３は、皮膚用針具４０を取り出す際、カバー１３を剥がし易くするためのカバー１３の一部に、ケース１２の粘着面１２ａが接着しずらくする離反部１３ａを備えている。
【００１５】
また、カバー１３は、透明又は半透明の薄いシート状で構成されており、ケース１２内に設置したシート１１に固定された皮膚用針具４０を容易に看視することができるようになっている。
なお、カバー１３は、アクリル等のシートで形成され、表面にフッ素処理を施工されており、高い防湿性を有している。
【００１６】
また、吸湿剤３０は、吸湿効果の高いシリカゲルを主成分として含んでいる。
【００１７】
次に、包装容器１０の製造及び包装方法について説明する。
本実施の形態では、支持部の形状が約１０ｍｍ角の基台４２に約２００本の針先４１を有する皮膚用針具４０を保管するようになっている。
図示しない装置等によって、プラスチック等の軟質材料で形成された外形が約３０ｍｍ角で中央部に約２０ｍｍ角の深さ約５ｍｍの窪み２１が形成されたケース１２と、化学繊維等でシート状に形成された外形が約１５ｍｍ角で両面に粘着面１１ａ、１１ｂを有するシート１１と、シート１１の一辺から約５ｍｍ×１０ｍｍの取っ手を形成し、その１部に粘着面１４ａを有するタブ１４と、アクリル等のシート状に形成された外形が約３０ｍｍ角の透明又は半透明のカバー１３を準備し、ケース１２の窪み２１の側面に湿気吸収性を有するシリカゲル粉末を漏れなく塗装させる。
次にケース１２の上記窪み２１にシート１１を粘着面１１ｂにより設置入すると同時に、シート１１の１辺から形成されるタブ１４をケース１２の窪みから側面に沿って上面の粘着面１２ａに張付ける。続いて皮膚用針具４０をシート１１の粘着面１１ａに固定する。このとき、皮膚用針具４０はシート１１の粘着面１１ａ及び粘着面１１ｂによってケース１２から容易に外れないように保持される。
【００１８】
さらに、ケース１２の上面に蓋をする状態でカバー１３をケース１２の粘着面１２ａによって張付ける。このとき、ケース１２内部の湿度が約３０％以下の環境で張付けを行うので、所定の湿度で封止するようになっている。
【００１９】
以上のようにして、図２に示すように、マルトースを主成分とする針先４１を破損及び接触から防ぎ、且つ所定の湿度を維持できるマイクロパイル包装容器１０を構成することができる。
【００２０】
次に、包装容器１０の使用方法について説明する。
包装容器１０は、図３に示すような手順によってケース１２内に設置された皮膚用針具４０を取り出すことができる。
まず、包装容器１０のカバー１３を図３（ａ）に示すように離反部１３ａを起点にケース１２から剥がし取り、次いでシート１１の一辺からなるタブ１４を起点に矢印１４ｂで示す方向に剥がし取ることで図３（ｂ）に示すようにタブ１４をケース１２から引き離し、更にタブ１４を矢印１４ｂで示す方向に引き外すことで図３（ｃ）に示すようにシート１１とケース１２を固定する粘着面１１ｂが外れることによって皮膚用針具４０を包装容器１０から取り出すことができる。
【００２１】
また、包装容器１０は、皮膚用針具４０を設置しカバー１３で封止した後も、ケース１２の窪み２１の内面に吸湿剤３０を塗布していることで、封止時の所定の湿度を長期間にわたって維持できるようになっている。
【００２２】
なお、包装容器１０は、ケース１２のサイズが携帯し易い大きさであるため、容易に持ち運ぶことができるようになっている。
【００２３】
以上に説明したように、包装容器１０は、皮膚用針具４０を保持するためのシート１１を介して湿気吸収剤３０を有するケース１２に設置し、カバー１３によって封止されるので、皮膚用針具４０の針先４１を破損及び接触されない状態で保持し、且つ長期間にわたって維持できる。したがって、本発明の包装容器１０、皮膚用針具４０の針先４１を保持し、その状態を長期間維持することができる。
【００２４】
また、カバー１３及びケース１２の外表面は、本実施の形態において、フッ素樹脂をコートしてあったが、成分構成はこれに限られない。例えば、カバー１３及びケース１２の外表面は、ウレタンやシリコン剤がコートされてあっても良い。
【００２５】
また、吸湿剤３０は、本実施の形態において、シリカゲルが主成分であったが、成分構成はこれに限られない。例えば、吸湿剤３０は、ゼネライトや活性アルミナ等が主成分であっても良い。
【産業上の利用可能性】
【００２６】
以上のように、本発明に係る包装容器は、生分解性材料からなるマイクロパイルの針先を保持し、その状態を長期間維持することができるマイクロパイルの包装容器等として有用である。
【図面の簡単な説明】
【００２７】
【図１】（ａ）本発明の実施の形態に係るマイクロパイル包装容器の外観斜視図  （ｂ）図１（ａ）に示す包装容器の側面断面図
【図２】（ａ）図１に示す包装容器の使用状態での外観斜視図  （ｂ）図２（ａ）に示す包装容器の側面断面図
【図３】（ａ）包装容器からマイクロパイルを取り出し手順で、カバー部を剥した状態での外観斜視図  （ｂ）包装容器からマイクロパイルを取り出し手順で、タブ部を剥した状態での外観斜視図  （ｃ）包装容器からマイクロパイルを取り出し手順で、シート部を剥した状態での外観斜視図
【符号の説明】
【００２８】
１０  包装容器
１１  シート（固定手段）
１１ａ  粘着面
１１ｂ  粘着面
１２  ケース（保管容器）
１２ａ  粘着面
１３  カバー（保管蓋）
１３ａ  離反部
１４  タブ
１４ａ  粘着面
２１  窪み部
３０  吸湿剤（湿度維持手段）
４０  皮膚用針具
４１  マイクロパイル（針）
【図１】
2007039066.tif 000003
【図２】
2007039066.tif 000004
【図３】
2007039066.tif 000005